(57)【要約】【課題】小型の構成で、媒体の束の上部の媒体を捌くこと。【解決手段】積載された媒体（Ｓ）が送り出される送出位置と、送出位置から下降した降下位置と、の間で移動可能な媒体積載部材（１４）と、前記収容部本体（６）に収容された媒体（Ｓ）の搬送方向に交差する媒体幅方向の端部に配置され、且つ、媒体（Ｓ）の搬送方向に沿った回転軸（２７ａ）を中心として回転可能に支持され、前記媒体（Ｓ）の端部に接触して媒体幅方向の端の縁を揃える揃え部材（２７）と、前記回転軸（２７ａ）を中心として、前記媒体幅方向の媒体（Ｓ）側に回転する方向に前記揃え部材（２７）の上端を回転させる揃え回転部材（３１）と、前記媒体積載部材（１４）が前記送出位置に移動した場合に、前記揃え回転部材（３１）を作動させて、前記揃え部材（２７）を回転させる揃え回転制御手段（Ｃ４Ｄ）と、を備えた画像形成装置（Ｕ）。【選択図】図４
2010247912.tif 000002
【特許請求の範囲】
【請求項１】
媒体が収容される収容部本体と、
媒体が積載されると共に、積載された媒体が送り出される送出位置と、前記送出位置から下降した降下位置と、の間で移動可能な媒体積載部材と、
前記収容部本体に収容された媒体の搬送方向に交差する媒体幅方向の端部に配置され、且つ、媒体の搬送方向に沿った回転軸を中心として回転可能に支持され、前記媒体の端部に接触して媒体幅方向の端の縁を揃える揃え部材と、
前記回転軸を中心として、前記媒体幅方向の媒体側に回転する方向に前記揃え部材の上端を回転させる揃え回転部材と、
前記媒体積載部材が前記送出位置に移動した場合に、前記揃え回転部材を作動させて、前記揃え部材を回転させる揃え回転制御手段と、
を備えたことを特徴とする画像形成装置。
【請求項２】
重力方向下端部に配置された前記回転軸を中心として回転可能に支持された前記揃え部材、
を備えたことを特徴とする請求項１に記載の画像形成装置。
【請求項３】
前記媒体の媒体幅方向両端部に配置された一対の前記揃え部材と、
前記各揃え部材を回転させる前記揃え回転制御手段と、
を備えたことを特徴とする請求項１または２に記載の画像形成装置。
【請求項４】
重力方向上端部に行くに連れて、媒体幅方向の媒体側に傾斜する傾斜部を有する前記揃え部材、
を備えたことを特徴とする請求項１ないし３のいずれかに記載の画像形成装置。
【請求項５】
前記媒体積載部材の昇降を制御する昇降制御手段であって、前記揃え回転制御手段により前記揃え部材が回転した場合に、前記媒体積載部材を前記送出位置から予め設定された量だけ下降させる前記昇降制御手段、
を備えたことを特徴とする請求項１ないし４のいずれかに記載の画像形成装置。
【請求項６】
前記送出位置に移動した前記媒体積載部材に積載された媒体に対して気体を吹付ける気体吹付け装置、
を備えたことを特徴とする請求項１ないし５のいずれかに記載の画像形成装置。
【請求項７】
前記気体吹付け装置を制御する吹付け制御手段であって、前記揃え回転制御部材により前記揃え部材が回転した場合に、予め設定された時間だけ前記気体吹付け装置を作動させて、気体を吹付ける前記吹付け制御手段、
を備えたことを特徴とする請求項６に記載の画像形成装置。
【請求項８】
前記媒体積載部材に形成された開口と、
前記媒体積載部材の開口を貫通して、積載された媒体の下面に接触して下方から押し上げる押し上げ位置と、媒体の下面よりも重力方向下方に移動して媒体から離間する媒体離間位置と、の間を移動する押し上げ部材と、
前記揃え回転制御部材により前記揃え部材が回転した場合に、前記押し上げ部材を制御して、前記押し上げ部材を前記押し上げ位置に移動させる押し上げ制御手段と、
を備えたことを特徴とする請求項１ないし７のいずれかに記載の画像形成装置。
【発明の詳細な説明】
【技術分野】
【０００１】
本発明は、画像形成装置に関する。
【背景技術】
【０００２】
従来、電子写真方式の複写機やプリンタ等の画像形成装置において、画像が記録される媒体が収容された媒体収容部において、媒体どうしが密着して複数枚送り出される状態、いわゆる重送状態を防止するために、媒体収容部内で媒体を捌く技術に関して、以下の特許文献１〜３記載の技術が従来公知である。
【０００３】
特許文献１としての特開２００６−３２７８２８号公報には、給紙トレイ（５９）において、用紙（５７）の搬送方向に垂直な幅方向にエアー吹付け手段（７１）を配置して、用紙（５７）の束の上部に積載されている数枚の用紙（５７）に対してエアーを吹付けて、用紙（５７）を捌く技術が記載されている。特許文献１記載の技術では、エアー遮断手段（１１７、１２５等）を設けて、エアーの拡散を防止し、エアーの流れと流速を調節して、用紙（５７）の側面に最適な流速で吹付けている。
【０００４】
特許文献２としての特開２００５−７５５４１号公報には、シート（Ｓ）が収容される収納庫（４０２）において、シート搬送方向に垂直なシート幅方向からシート（Ｓ）に向けてヒータ（６）で加熱された温風をファン（５）で吹付けて、コート紙のような紙間の密着力が強いシート（Ｓ）を捌く技術が記載されている。また、特許文献２には、シート束（Ｓ）を昇降させるリフターにおいて、凹形状のリフター台（４０３）にシート束（Ｓ）を積載することで、シート束（Ｓ）を凹状に湾曲させてエアーが流入しやすくする技術が記載されている。
【０００５】
特許文献３としての特開２００７−１１９１１７号公報には、シート束が積載されるボトムプレート（１３）が、互いに上下方向に回動自在に連結された前方板体（１４）、中央板体（１５）および後方板体（１６）からなり、板体（１４〜１６）の裏面にそれぞれ前方板体支持レバー（１７）、中央板体支持レバー（１８）、後方板体支持レバー（１９）が支持されてた画像形成装置が記載されている。特許文献３記載の技術では、シート搬出モードでは、各板体（１４〜１６）が一直線状になるように各レバー（１７〜１９）の立ち上がり量が制御される。そして、シート捌きモードでは、前方板体（１４）および後方板体（１６）よりも中央板体（１５）の高さが高くなるように各レバー（１７〜１９）の立ち上がり量を制御して積載されたシート束の自重で凸状にたわませたり、前方板体（１４）および後方板体（１６）よりも中央板体（１５）の高さが低くなるように各レバー（１７〜１９）の立ち上がり量を制御して積載されたシート束の自重で凹状にたわませたりして、シート束を捌き、シート間の密着力を低減させている。
【先行技術文献】
【特許文献】
【０００６】
【特許文献１】特開２００６−３２７８２８号公報（「００３７」〜「００７８」、図２〜図１６）
【特許文献２】特開２００５−７５５４１号公報（「００４０」、「００５３」〜「００６６」、図２〜図８）
【特許文献３】特開２００７−１１９１１７号公報（「００１４」〜「００１９」、図２）
【発明の概要】
【発明が解決しようとする課題】
【０００７】
本発明は、小型の構成で、媒体の束の上部の媒体を捌くことを技術的課題とする。
【課題を解決するための手段】
【０００８】
前記技術的課題を解決するために、請求項１記載の発明の画像形成装置は、
媒体が収容される収容部本体と、
媒体が積載されると共に、積載された媒体が送り出される送出位置と、前記送出位置から下降した降下位置と、の間で移動可能な媒体積載部材と、
前記収容部本体に収容された媒体の搬送方向に交差する媒体幅方向の端部に配置され、且つ、媒体の搬送方向に沿った回転軸を中心として回転可能に支持され、前記媒体の端部に接触して媒体幅方向の端の縁を揃える揃え部材と、
前記回転軸を中心として、前記媒体幅方向の媒体側に回転する方向に前記揃え部材の上端を回転させる揃え回転部材と、
前記媒体積載部材が前記送出位置に移動した場合に、前記揃え回転部材を作動させて、前記揃え部材を回転させる揃え回転制御手段と、
を備えたことを特徴とする。
【０００９】
請求項２に記載の発明は、請求項１に記載の画像形成装置において、
重力方向下端部に配置された前記回転軸を中心として回転可能に支持された前記揃え部材、
を備えたことを特徴とする。
【００１０】
請求項３に記載の発明は、請求項１または２に記載の画像形成装置において、
前記媒体の媒体幅方向両端部に配置された一対の前記揃え部材と、
前記各揃え部材を回転させる前記揃え回転制御手段と、
を備えたことを特徴とする。
【００１１】
請求項４に記載の発明は、請求項１ないし３のいずれかに記載の画像形成装置において、
重力方向上端部に行くに連れて、媒体幅方向の媒体側に傾斜する傾斜部を有する前記揃え部材、
を備えたことを特徴とする。
【００１２】
請求項５に記載の発明は、請求項１ないし４のいずれかに記載の画像形成装置において、
前記媒体積載部材の昇降を制御する昇降制御手段であって、前記揃え回転制御手段により前記揃え部材が回転した場合に、前記媒体積載部材を前記送出位置から予め設定された量だけ下降させる前記昇降制御手段、
を備えたことを特徴とする。
【００１３】
請求項６に記載の発明は、請求項１ないし５のいずれかに記載の画像形成装置において、
前記送出位置に移動した前記媒体積載部材に積載された媒体に対して気体を吹付ける気体吹付け装置、
を備えたことを特徴とする。
【００１４】
請求項７に記載の発明は、請求項６に記載の画像形成装置において、
前記気体吹付け装置を制御する吹付け制御手段であって、前記揃え回転制御部材により前記揃え部材が回転した場合に、予め設定された時間だけ前記気体吹付け装置を作動させて、気体を吹付ける前記吹付け制御手段、
を備えたことを特徴とする。
【００１５】
請求項８に記載の発明は、請求項１ないし７のいずれかに記載の画像形成装置において、
前記媒体積載部材に形成された開口と、
前記媒体積載部材の開口を貫通して、積載された媒体の下面に接触して下方から押し上げる押し上げ位置と、媒体の下面よりも重力方向下方に移動して媒体から離間する媒体離間位置と、の間を移動する押し上げ部材と、
前記揃え回転制御部材により前記揃え部材が回転した場合に、前記押し上げ部材を制御して、前記押し上げ部材を前記押し上げ位置に移動させる押し上げ制御手段と、
を備えたことを特徴とする。
【発明の効果】
【００１６】
請求項１に記載の発明によれば、揃え部材が回転しない構成に比べて、小型の構成で、媒体の束の上部の媒体を捌くことができる。
請求項２に記載の発明によれば、媒体積載部材に積載された上部の媒体を捌くことができ、重力方向下端部に回転軸が配置されていない構成に比べて、媒体を捌くために必要なエネルギーを低減できる。
請求項３に記載の発明によれば、媒体幅方向の一方の揃え部材のみが回転する場合に比べて、媒体の姿勢が乱れることが低減できる。
請求項４に記載の発明によれば、傾斜部が設けられていない構成に比べて、媒体積載部材に積載された上部の媒体を大きく湾曲させることができ、捌く能力を向上させることができる。
【００１７】
請求項５に記載の発明によれば、媒体積載部材を下降させない場合に比べて、媒体どうしを分離させやすく、媒体を捌く能力を向上させることができる。
請求項６に記載の発明によれば、気体を吹き付けない場合に比べて、媒体を捌く能力を向上させることができる。
請求項７に記載の発明によれば、揃え部材が回転していない状態で気体を吹き付ける場合に比べて、媒体が撓んで媒体どうしの間に形成された隙間に気体を吹き付けて分離させることができ、媒体を捌く能力を向上させることができる。
請求項８に記載の発明によれば、押し上げ部材を有しない場合に比べて、媒体を撓ませて分離させることができ、媒体を捌く能力を向上させることができる。
【図面の簡単な説明】
【００１８】
【図１】図１は本発明の実施例１の画像形成装置の全体説明図である。
【図２】図２は本実施例の画像形成装置の給紙装置の要部拡大説明図である。
【図３】図３は実施例１の給紙トレイの平面図である。
【図４】図４は実施例１の揃え部材の説明図であり、図４Ａは揃え部材が揃え位置に移動した状態の要部断面図、図４Ｂは揃え部材が捌き位置に移動した状態の要部断面図である。
【図５】図５は本発明の実施例１の画像形成装置の制御部分の説明図で、その制御部分が備えている各機能をブロック図で示した図である。
【図６】図６は実施例１の媒体送出制御の一例としての給紙制御の流れ図である。
【図７】図７は実施例２の給紙トレイの説明図であり、実施例１の図３に対応する図である。
【図８】図８は図７のＶＩＩＩ−ＶＩＩＩ線断面図である。
【図９】図９は実施例２の給紙トレイの説明図であり、図９Ａは図７のＩＸＡ−ＩＸＡ線断面図、図９Ｂは図９ＡのＩＸＢ−ＩＸＢ線断面図、図９Ｃは図９Ａの揃え位置から捌き位置に移動した状態の説明図である。
【図１０】図１０は実施例２の画像形成装置の制御部分の説明図であり、実施例１の図５に対応する図である。
【図１１】図１１は実施例２の給紙制御の説明図であり、実施例１の図６に対応する図である。
【図１２】図１２は実施例３の画像形成装置の制御部分の説明図であり、実施例１の図５に対応する図である。
【図１３】図１３は実施例３の給紙制御の説明図であり、実施例２の図１１に対応する図である。
【図１４】図１４は、実施例３の作用説明図であり、図１４Ａはサイドガイドが揃え位置に移動した実施例２の図９Ａに対応する説明図、図１４Ｂはサイドガイドが捌き位置に移動した実施例２の図９Ｃに対応する説明図、図１４Ｃは図１４Ｂに示す状態からボトムプレートが降下量だけ下降した状態の説明図である。
【図１５】図１５は実施例４の給紙トレイの説明図であり、実施例２の図７に対応する図である。
【図１６】図１６は図１５のＸＶＩ−ＸＶＩ線断面図であり、図１６Ａは押し上げ部材が媒体離間位置に移動した状態の説明図、図１６Ｂは押し上げ部材が押し上げ位置に移動した状態の説明図である。
【図１７】図１７は実施例４の画像形成装置の制御部分の説明図であり、実施例３の図１２に対応する図である。
【図１８】図１８は実施例４の給紙制御の説明図であり、実施例３の図１３に対応する図である。
【発明を実施するための形態】
【００１９】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２０】
図１は本発明の実施例１の画像形成装置の全体説明図である。
図１において、本発明の実施例１の画像形成装置の一例としての複写機Ｕは、画像形成装置本体Ｕ１と、自動原稿搬送装置Ｕ２を有している。前記画像形成装置本体Ｕ１は、画像記録部Ｕ１ａと、画像読取り部Ｕ１ｂとを有する。
前記自動原稿搬送装置Ｕ２は、画像読取り部Ｕ１ｂ上面の透明な原稿台の一例としてのプラテンガラスＰＧ上に支持されている。
前記画像記録部Ｕ１ａ上面には、上方の画像読取り部Ｕ１ｂとの間に、媒体排出部の一例としての排出トレイＴＲｈが設けられている。
【００２１】
図１において、前記自動原稿搬送装置Ｕ２は、複写しようとする複数の原稿Ｇｉが重ねて収容される原稿収容部の一例としての原稿給紙トレイＴＧ１を有する。前記原稿給紙トレイＴＧ１に収容された複数の各原稿Ｇｉは、順次プラテンガラスＰＧ上の複写位置を通過して原稿排出部の一例としての原稿排紙トレイＴＧ２に排出されるように構成されている。前記自動原稿搬送装置Ｕ２は、その後端部に設けた左右方向に延びる図示しない回転軸により、プラテンガラスＰＧ上面に対して回転可能であり、原稿Ｇｉを利用者が手でプラテンガラスＰＧ上に置く場合に上方に回転される。
前記画像形成装置本体Ｕ１は、利用者が画像形成開始等の作動指令信号を入力操作する入力操作部の一例としてのユーザインタフェースＵＩを有している。
【００２２】
前記透明なプラテンガラスＰＧの下方には原稿画像を読み取るための露光光学系Ａが配置されている。
前記自動原稿搬送装置Ｕ２でプラテンガラスＰＧ上面に搬送される原稿または手動でプラテンガラスＰＧ上に置かれた原稿Ｇｉからの反射光は、前記露光光学系Ａを介して、撮像部材の一例としての固体撮像素子ＣＣＤで電気信号に変換される。
画像処理部ＩＰＳは、固体撮像素子ＣＣＤから入力されるＲ：赤、Ｇ：緑、Ｂ：青の電気信号を画像情報に変換して一時的に記憶し、前記画像情報を潜像形成用の画像情報として、書込駆動回路の一例としてのレーザ駆動回路ＤＬに出力する。
レーザ駆動回路ＤＬは、入力された画像データに応じてレーザ駆動信号を潜像形成装置ＲＯＳに出力する。なお、前記ユーザインタフェースＵＩ、画像処理部ＩＰＳおよびレーザ駆動信号出力装置ＤＬと、画像形成装置本体Ｕ１の各部材に電力を供給する電源回路Ｅ等の動作は、制御部の一例としてのコントローラＣにより制御される。
【００２３】
像保持体の一例としての感光体ＰＲはその軸ＰＲａを中心に回転可能に支持されており、その表面は、帯電器の一例としての帯電ロールＣＲにより一様に帯電された後、潜像書込位置において潜像形成装置ＲＯＳの潜像書込光の一例としてのレーザビームＬにより露光走査されて静電潜像が形成される。
前記静電潜像が形成された感光体ＰＲ表面は回転移動して、順次、現像装置Ｇと対向する現像領域と、転写器の一例としての転写ロールＲｔと対向する転写領域Ｑ１を通過する。
【００２４】
現像装置Ｇは、現像剤保持体の一例として感光体ＰＲと対向して回転する現像ロールＧａや、現像剤攪拌部材Ｇｂ，Ｇｃ，Ｇｄを回転可能に支持し且つ現像剤を収容する現像容器Ｖを有しており、現像領域を通過する感光体ＰＲ上の静電潜像をトナー像に現像する。
前記現像装置Ｇの下方には、媒体収容部の一例としての複数の給紙トレイＴＲ１〜ＴＲ４が配置されている。複数の給紙トレイＴＲ１〜ＴＲ４は、媒体の一例として、転写領域Ｑ１に搬送するための記録用シートＳを収容しており、その左右両側に前後方向に沿って配置された一対の案内部の一例としてのレールＲＬ１，ＲＬ１に沿って移動可能に支持されている。
【００２５】
図２は本実施例の画像形成装置の給紙装置の要部拡大説明図である。
図１、図２において、前記各給紙トレイＴＲ１〜ＴＲ４の送出側である左側上部には、媒体送出部材の一例としてのピックアップロールＲｐが配置されている。前記ピックアップロールＲｐは、記録シートＳを送り出す送出時期に合わせて前記給紙トレイＴＲ１〜ＴＲ４に積載された記録シートＳを取り出す。前記記録シートＳは、下流搬送部材の一例としてのフィードロールＲｓ１と、媒体減速部材の一例としてのリタードロールＲｓ２との接触領域であるさばき領域を通過する際に、複数の記録シートＳが重なって送り出された場合に、１枚づつ分離される。分離された記録シートＳは、フィードールＲｓ１により搬送されて、下流側の媒体搬送路の一例としてのシート搬送路ＳＨに搬送される。前記フィードロールＲｓ１とリタードロールＲｓ２とにより、実施例１の分離部材の一例としてのさばきロールＲｓが構成されている。
【００２６】
シート搬送路ＳＨの記録シートＳは、シート搬送路ＳＨに沿って配置された複数の搬送部材の一例としての搬送ロールＲａにより、時期調整部材の一例としてのレジロールＲｒに搬送される。図１において、レジロールＲｒは、記録シートＳを、前記転写領域Ｑ１に感光体ＰＲ表面のトナー像が到達する時期に合わせて搬送する。
また、手差し給紙部の一例としての手差トレイＴＲ0から給紙された記録シートＳも、手差し搬送路ＳＨ５を搬送され、前記シート搬送路ＳＨに沿って配置された搬送部材の一例としての搬送ロールＲａ、レジロールＲｒにより前記転写領域Ｑ１に搬送される。
【００２７】
図１において、前記転写領域Ｑ１には、転写電圧が印加される転写器の一例としての転写ロールＲｔが配置されている。この転写ロールＲｔは転写領域Ｑ１において前記感光体ＰＲに対向、接触しており、転写領域Ｑ１を通過する記録シートＳに感光体ＰＲ上のトナー像を転写する。
感光体ＰＲ表面のトナー像が転写領域Ｑ１において記録シートＳに転写された後、前記感光体ＰＲは、清掃器の一例としてのクリーナＣＬにより表面に付着した残留トナーが回収される。前記クリーナＣＬにより表面に付着した残留トナーが回収された感光体ＰＲは、前記帯電ロールＣＲにより帯電される。
【００２８】
なお、実施例１の複写機Ｕでは、感光体ＰＲ、帯電ロールＣＲ、現像装置Ｇ、クリーナＣＬは、可視像形成装置の一例として、画像形成装置本体Ｕ１に対して一体的に着脱可能なプロセスユニットＰＲ＋ＣＲ＋Ｇ＋ＣＬにより構成されている。
【００２９】
前記転写領域Ｑ１において未定着のトナー像が転写された記録シートＳは、トナー像が未定着の状態で定着領域Ｑ２に搬送され、定着領域Ｑ２に配置された定着装置Ｆの定着部材の一例としての一対の定着ロールＦｈ，Ｆｐによりトナー像が定着される。定着トナー像が形成された記録シートＳは、排出部材の一例としての排紙ロールＲ１に搬送され、排出口Ｈａから排出トレイＴＲｈに排出される。
前記プロセスユニットＰＲ＋ＣＲ＋Ｇ＋ＣＬ、転写ロールＲｔおよび前記定着装置Ｆにより、媒体Ｓに画像を記録する画像記録装置ＰＲ＋ＣＲ＋Ｇ＋ＣＬ＋Ｒｔ＋Ｆが構成されている。
【００３０】
複写機Ｕ内部には、前記排出口Ｈａの左方に、排出口Ｈａに接続された本体反転路ＳＨ３が設けられている。前記手差しトレイＴＲ０の上部には、媒体反転装置の一例として、画像形成装置本体Ｕ１に着脱可能に装着される反転ユニットＵ３が装着されている。反転ユニットＵ３の内部には、本体反転路ＳＨ３に接続する追加反転路の一例としてのオプション反転路ＳＨ４が形成されている。したがって、両面印刷時には、前記定着領域Ｑ２でトナー像が定着されたシートＳが、前記本体反転路ＳＨ３、オプション反転路ＳＨ４を通過して、前記レジロールＲｒに搬送され、シートＳの表裏が反転した状態で前記転写領域Ｑ１に再送される。
前記本体反転路ＳＨ３、オプション反転路ＳＨ４により、反転路ＳＨ３＋ＳＨ４が構成されている。
前記ピックアップロールＲｐ、さばきロールＲｓ、搬送ロールＲａおよび排出ロールＲ１により、シート搬送部材Ｒｐ＋Ｒｓ＋Ｒａ＋Ｒ１が構成されている。
【００３１】
（給紙装置）
図２において、前記各給紙トレイＴＲ１〜ＴＲ４の左側上方（−Ｙ側上方）には、給紙昇降枠体の一例として、前記ピックアップロールＲｐおよびフィードロールＲｓ１を回転可能に支持する給紙フレームＫｆが配置されている。前記給紙フレームＫｆには、図示しない送出駆動源の一例としての給紙駆動モータの回転力を前記ピックアップロールＲｐおよびフィードローラＲｓ１に伝達するギヤ列Ｇ２〜Ｇ６が配置されている。給紙フレームＫｆの右方には、検出部材の一例として、給紙フレームＫｆの位置を検出するための光センサＳＮ１が支持されている。
なお、このような給紙フレームＫｆの昇降機構は、例えば、特開２０００−２２９７３７号公報や特開２００１−３２３９６６号公報等に記載されており、従来公知であるため、詳細な図示や説明は省略する。
【００３２】
前記給紙フレームＫｆは、図示しない枠体上昇部材の一例としてのバネにより図２の上側の給紙トレイＴＲ１に示すように給紙を実行しない場合の上方に回動した給紙待機位置に保持されている。また、給紙フレームＫｆには、図示しない枠体下降部材の一例としてのフレーム昇降ソレノイドが接続されており、フレーム昇降ソレノイドの通電または非通電、すなわちオンまたはオフの制御により、給紙待機位置から、図２の下側の給紙トレイＴＲ２に示すように給紙を実行する際にピックアップロールＲｐが給紙トレイＴＲ１〜ＴＲ４に積載された記録シートＳのシート束の最上面に予め設定された圧力で接触する給紙実行位置との間を移動する。
前記ピックアップロールＲｐ、さばきロールＲｓ、ギヤ列Ｇ２〜Ｇ６および給紙フレームＫｆにより、実施例１の給紙装置Ｋが構成されている。また、前記給紙装置Ｋおよび各給紙トレイＴＲ１〜ＴＲ４により、実施例１の媒体搬送装置Ｋ＋ＴＲ１〜ＴＲ４が構成されている。
【００３３】
（給紙トレイ）
図３は実施例１の給紙トレイの平面図である。
図２、図３において、実施例１の画像形成装置本体Ｕ１に、着脱可能に支持された各給紙トレイＴＲ１〜ＴＲ４は、底壁１と、前端壁２、後端壁３、左端壁４および右端壁５とを有し、前記各壁１〜５により囲まれた空間により、収容部本体の一例としての収容空間６が構成されている。前記前端壁２には前蓋の一例としてのフロントカバー７が支持され、前記右端壁５には横蓋の一例としてのサイドカバー８が支持されている。また、前記左端壁４および右端壁５の外面には前記レールＲＬ１に接触して案内される被案内部の一例としての被ガイド部材ＲＬ２が支持されている。
【００３４】
図２において、前記左端壁４の外側には上昇回転軸１２が配置されている。図３において、前記上昇回転軸１２の後端部には、被駆動伝達部の一例としてのカプラ１２ａが設けられている。前記カプラ１２ａは、給紙トレイＴＲ１〜ＴＲ４が画像形成装置本体Ｕ１に装着された時に、画像形成装置本体Ｕ１の図示しない駆動伝達部の一例としてのカプラに噛み合って、図示しない昇降駆動源の一例としてのプレート昇降モータからの回転が伝達される。
【００３５】
図２、図３において、前記上昇回転軸１２には、昇降部材の一例として、断面Ｌ字型のプレート状の上昇レバー１３の一端が固定支持されている。前記上昇レバー１３の他端は、媒体積載部材の一例として、上面に記録シートＳの束が積載されるボトムプレート１４の下面に接触している。図３において、前記ボトムプレート１４は、前後両端壁２、３に、積載部材用の回転軸の一例としてのプレート回転軸１４ａを中心に回転可能に支持されている。
前記ボトムプレート１４の後端部には、後述する後サイドガイド２７に対応して、切除された形状の切除部１５が形成されている。
【００３６】
前記上昇レバー１３及びボトムプレート１４は、画像形成装置Ｕの画像形成動作、いわゆるジョブが開始されていない場合は、図２の上側の給紙トレイＴＲ１に示す降下位置に保持される。また、前記画像形成装置Ｕのジョブが開始された場合には、プレート昇降モータにより前記上昇回転軸１２が回転して、上昇レバー１３がボトムプレート１４を持ち上げる。前記ボトムプレート１４の上昇して送出位置に移動すると、図２の下側の給紙トレイＴＲ２に示すように、記録シート束のシート搬送方向前端部の上面位置が、記録シートが送り出し可能な高さに保持される。
前記ボトムプレート昇降用モータ、上昇回転軸１２、上昇レバー１３、ボトムプレート１４等によりシート昇降部材１６が構成されている。
【００３７】
図３において、前記底壁１には、支持体収容部の一例として、媒体搬送方向である左右方向に延びるプレート収容溝１ａが形成されている。プレート収容溝１ａには、支持体案内部材の一例としてのエンドガイド２１が収容されている。前記エンドガイド２１には、後端支持体の一例として、収容された記録シートＳのシート搬送方向後端である右端を支持するエンドプレート２２が左右方向に移動可能に支持されている。したがって、記録シートＳのサイズに応じて、利用者が手動でエンドプレート２２の位置をスライド調節できる。
【００３８】
図４は実施例１の揃え部材の説明図であり、図４Ａは揃え部材が揃え位置に移動した状態の要部断面図、図４Ｂは揃え部材が捌き位置に移動した状態の要部断面図である。
図３、図４において、前記底壁１の前記ボトムプレート１４の前端には、第１の揃え部材の一例として、媒体幅方向である記録シートＳの前端の縁に接触して、記録シートＳの前端の縁を揃える前サイドガイド２６が、底壁１に対して着脱可能に支持されている。図４において、前サイドガイド２６は、利用者が手動で取外し、記録シートＳの大きさに応じて底壁１に形成された装着孔１ｂに、前サイドガイド２６の下面の突起２６ａを差し込むことで、記録シートＳのサイズに応じた位置に装着することができる。
【００３９】
図３、図４において、前記ボトムプレート１４の後端には、第２の揃え部材の一例として、媒体幅方向である記録シートＳの後端の縁に接触して、記録シートＳの後端の縁を揃える後サイドガイド２７が配置されている。
図３、図４において、実施例１の後サイドガイド２７は底壁１に形成された後開口１ｃを貫通して上下方向に延びる板状に形成されている。後サイドガイド２７の下部には、前後方向に延びる回転軸２７ａが支持されており、回転軸２７ａは、後端壁３に支持された軸支持部材の一例としての前後一対のブラケット２８に回転可能に支持されている。
前記後サイドガイド２７の下端は、後開口１ｃの下方に延びており、回転軸２７ａよりも下方の下端には、被連結部の一例として、ソレノイド連結孔２７ｂが形成されている。
【００４０】
前記ソレノイド連結孔２７ｂの後方には、揃え回転部材の一例であり、電磁石の一例として、底壁１の下面後端部に支持された捌きソレノイド３１が配置されている。前記捌きソレノイド３１は、伸縮部の一例としてのロッド３１ａを有し、ロッド３１ａの先端はソレノイド連結孔２７ｂに連結されている。実施例１では、ソレノイド連結孔２７ｂがロッド３１ａの先端の連結部よりも大径の孔、いわゆる、ばか穴により構成されており、回転自由且つ前後および上下方向に遊びを有する状態で連結されている。
捌きソレノイド３１の後端には、捌きソレノイド３１を制御するための回路基板３２が支持されている。前記回路基板３２の後方には、回路基板３２に接触、離間可能な端子部材３３が、付勢部材の一例としての端子バネ３４を介して画像形成装置本体Ｕ１に支持されている。したがって、給紙トレイＴＲ１〜ＴＲ４が画像形成装置本体Ｕ１内に収容された状態では、端子部材３３と回路基板３２とが接触して、端子部材３３を介して捌きソレノイド３１に対する給電及び制御信号の入力が可能となっている。
【００４１】
図４において、後サイドガイド２７の回転軸２７ａよりも上部には、揃え付勢部材の一例として、後サイドガイド２７と後端壁３との間を連結するコイルバネ３６が支持されている。実施例１のコイルバネ３６は、後サイドガイド２７を後端壁３側に引張る引張りバネにより構成されている。
前記コイルバネ３６の上方には、停止部材の一例として、後端壁３の前面から前方に延びるストッパ３７が後端壁３に支持されており、後サイドガイド２７の上端部の後面に接触して、後サイドガイド２７の上端の後方へ回転を規制する。
【００４２】
したがって、捌きソレノイド３１が非通電状態、すなわち、オフの状態では、後サイドガイド２７は、コイルバネ３６に引張られて、ストッパ３７に接触して停止した図４Ａに示す揃え位置に保持される。また、捌きソレノイド３１が通電状態、すなわち、オンになると、後サイドガイド２７は、下端が捌きソレノイド３１に引張られ、コイルバネ３６の弾性力に抗して、図４Ｂに示すように後サイドガイド２７の上端が前方に回転した捌き位置に移動する。
【００４３】
図３において、前記給紙トレイＴＲ１〜ＴＲ４の左後方には、気体吹付け装置の一例として、送出位置の高さに対応する位置で画像形成装置本体Ｕ１に支持され、送出位置に移動したボトムプレート１４に積載された記録シートＳに対して気体の一例としての空気を吹付けるブロア４１が支持されている。
図２において、後端壁３の上部には、送出位置でブロア４１で気体が吹付けられた記録シートＳの浮き上がりを押さえるための押さえ部材４２が左右一対支持されている。
【００４４】
（実施例１の制御部の説明）
図５は本発明の実施例１の画像形成装置の制御部分の説明図で、その制御部分が備えている各機能をブロック図で示した図である。
図５において、画像形成装置ＵのコントローラＣは、外部との信号の入出力および入出力信号レベルの調節等を行う入出力部：Ｉ／Ｏ、必要な処理を行うためのプログラムおよび情報等が記憶された記憶部材の一例としてのリードオンリーメモリ：ＲＯＭやハードディスク、必要な情報を一時的に記憶するための一時記憶部材の一例としてのランダムアクセスメモリ：ＲＡＭ、前記ＲＯＭ等に記憶されたプログラムに応じた処理を行う中央演算処理装置：ＣＰＵ等を有する小型計算機の一例としてのマイクロコンピュータにより構成されており、前記ＲＯＭ等に記憶されたプログラムを実行することにより種々の機能を実現することができる。
【００４５】
（コントローラＣに接続された信号入力要素）
前記コントローラＣは、ユーザインタフェースＵＩや光センサＳＮ１等の信号入力要素からの信号が入力されている。
ユーザインタフェースＵＩは、数値入力部の一例としてのテンキーＵＩ１、表示部ＵＩ２、動作開始入力部の一例としてのコピースタートキーＵＩ３等の入力部を備えており、それらが入力されたことを検出して、その検出信号をコントローラＣに入力する。
光センサＳＮ１は、給紙フレームＫｆの有無を検出することで、給紙フレームＫｆの位置、高さを検出する。
【００４６】
（前記コントローラＣに接続された被制御要素）
また、コントローラＣは、主駆動源駆動回路の一例としてのメインモータ駆動回路Ｄ１、捌きソレノイド駆動回路Ｄ２、給紙駆動回路Ｄ３、フレーム昇降ソレノイド駆動回路Ｄ４、ボトムプレート駆動回路Ｄ５、ブロア駆動回路Ｄ６、電源回路Ｅ、その他の制御要素に接続されており、それらの作動制御信号を出力している。
メインモータ駆動回路Ｄ１は、メインモータＭ０を介して感光体ＰＲ、現像装置Ｇの現像ロールＧａ等を回転駆動する。
揃え回転駆動回路の一例としての捌きソレノイド駆動回路Ｄ２は、捌きソレノイド３１をオン、オフして、後サイドガイド２２を捌き位置と揃え位置との間で移動させる。
給紙駆動回路Ｄ３は、給紙駆動モータＭ２を介して、フィードロールＲｓ１やピックアップロールＲｐを駆動する。
【００４７】
フレーム昇降ソレノイド駆動回路Ｄ４は、フレーム昇降ソレノイドＳＬをオン・オフ制御することにより、給紙フレームＫｆを給紙待機位置と、給紙実行位置との間を移動させる。
ボトムプレート駆動回路Ｄ５は、プレート昇降モータＭ３を介して、前記ボトムプレート１４が上方に上昇した送出位置と、ボトムプレート１４が下降した降下位置との間で移動させる。
ブロア駆動回路Ｄ６は、ブロア４１を駆動して、給紙トレイＴＲ１〜ＴＲ４に積載されたシート束にエアーを吹き付ける。
【００４８】
前記電源回路Ｅは、現像電源回路Ｅ１、帯電電源回路Ｅ２、転写電源回路Ｅ３、定着電源回路Ｅ４等を有している。
現像電源回路Ｅ１は、現像装置Ｇの現像ロールＧａに現像電圧を印加する。
帯電電源回路Ｅ２は、帯電ロールＣＲに感光体ＰＲ表面を帯電させるための帯電電圧を印加する。
転写電源回路Ｅ３は、転写ロールＲｔに転写電圧を印加する。
定着電源回路Ｅ４は、定着装置Ｆの定着ロールＦｈに加熱用電力を供給する。
【００４９】
（前記コントローラＣの機能）
前記コントローラＣは、前記信号出力要素からの入力信号に応じた処理を実行して、前記各制御要素に制御信号を出力する機能を有している。すなわち、コントローラＣは次の機能を有している。
Ｃ１：ジョブ制御手段
画像形成制御手段の一例としてのジョブ制御手段Ｃ１は、画像形成装置Ｕの各部材を制御して、画像形成動作であるジョブの制御を行う。
Ｃ２：メインモータ制御手段
主駆動源制御手段の一例としてのメインモータ制御手段Ｃ２は、メインモータ駆動回路Ｄ１を介してメインモータＭ０を制御し、感光体ＰＲや現像ロールＧａの回転駆動を制御する。
【００５０】
Ｃ３：電源制御手段
電源制御手段Ｃ３は、電源回路Ｅを制御して、現像装置Ｇ、帯電ロールＣＲ、転写ロールＲｔ等の各部材への電圧印加・電力供給を制御する。
【００５１】
Ｃ４：給紙制御手段
給紙制御手段Ｃ４は、昇降ソレノイド制御手段Ｃ４Ａと、プレート昇降制御手段Ｃ４Ｂと、送出位置移動判別手段Ｃ４Ｃと、ガイド回転制御手段Ｃ４Ｄと、給紙時期判別手段Ｃ４Ｅと、給紙モータ駆動手段Ｃ４Ｆと、給紙枚数計数手段Ｃ４Ｇと、プレート上昇判別手段Ｃ４Ｈと、を有し、給紙装置Ｋの駆動を制御する。
Ｃ４Ａ：昇降ソレノイド制御手段
給紙昇降制御手段の一例としての昇降ソレノイド制御手段Ｃ４Ａは、フレーム昇降ソレノイド駆動回路Ｄ４を介して、フレーム昇降ソレノイドＳＬのオン、オフを制御する。実施例１のフレーム昇降ソレノイド制御手段Ｃ４Ａは、ジョブが開始されて、歯付きロール３１の進入量の調整がされるとオンとなって、給紙フレームＫｆを下降させて給紙実行位置に移動させ、ジョブが終了するとオフとなる。なお、フレーム昇降ソレノイドＳＬがオフになると、給紙フレームＫｆがバネで給紙待機位置に上昇する。
【００５２】
Ｃ４Ｂ：プレート昇降制御手段
積載昇降制御手段の一例としてのプレート昇降制御手段Ｃ４Ｂは、ボトムプレート駆動回路Ｄ５を介して、プレート昇降モータＭ３の正逆回転を制御して、ボトムプレート１４の昇降を制御する。実施例１のプレート昇降制御手段Ｃ４Ｂは、ジョブが開始されて給紙フレームＫｆが給紙実行位置に移動した状態で、プレート昇降モータＭ３を正回転させてボトムプレート１４を送出位置まで上昇させると共に、ジョブが終了するとプレート昇降モータＭ３を逆回転させてボトムプレート１４を降下位置まで降下させる。
Ｃ４Ｃ：送出位置移動判別手段
送出位置移動判別手段Ｃ４Ｃは、ボトムプレート１４が送出位置まで上昇したか否かを判別する。実施例１の送出位置移動判別手段Ｃ４Ｃは、光センサＳＮ１の検出信号に基づいて、フレーム昇降ソレノイドＳＬがオンになった状態で、光センサＳＮ１が給紙フレームＫｆを検知した場合に、送出位置に移動したものと判別する。実施例１では、フレーム昇降ソレノイドＳＬがオンになると、給紙フレームＫｆが光センサＳＮ１の位置よりも下方に移動して、光センサＳＮ１で検知できなくなるように設定されており、ボトムプレート１４が上昇して、積載された記録シートＳの束の上面にピックアップロールＲｐが接触して押され、給紙フレームＫｆが上方に移動して、光センサＳＮ１の高さまで上昇すると光センサＳＮ１で検知される。この状態では、ピックアップロールＲｐと最上面の記録シートＳとが予め設定された圧力で接触するように設定されている。
【００５３】
Ｃ４Ｄ：ガイド回転制御手段
揃え回転制御手段の一例としてのガイド回転制御手段Ｃ４Ｄは、後サイドガイド２７を捌き位置に保持する時間である捌き時間ｔ１を記憶する捌き時間記憶手段Ｃ４Ｄ１と、捌き時間ｔ１が経過したか否かを計測する捌き時間計測手段の一例としての捌き時間タイマＴＭ１とを有し、捌きソレノイド駆動回路Ｄ２を介して、捌きソレノイド３１のオン、オフを制御して、後サイドガイド２７の捌き位置と揃え位置との間の移動を制御する。ガイド回転制御手段Ｃ４Ｄは、ボトムプレート１４が送出位置に移動した場合に、捌きソレノイド３１をオンにして作動させ、後サイドガイド２７を回転させる。したがって、実施例１のガイド回転制御手段Ｃ４Ｄは、送出位置移動判別手段Ｃ４Ｃにより、ボトムプレート１４が送出位置に移動したと判別された場合に、捌きソレノイド３１をオンにして、後サイドガイド２７を図４Ａに示す揃え位置から図４Ｂに示す捌き位置に移動させる。そして、実施例１のガイド回転制御手段Ｃ４Ｄでは、捌きソレノイド３１がオンになってから捌き時間ｔ１が経過すると、捌きソレノイド３１をオフにして捌き位置から揃え位置に戻す。
【００５４】
Ｃ４Ｅ：給紙時期判別手段
送出時期判別手段の一例としての給紙時期判別手段Ｃ４Ｅは、ジョブで給紙が実行される給紙トレイＴＲ１〜ＴＲ４からピックアップロールＲｐで転写領域Ｑ１に向けて記録シートＳを送り出す時期になったか否かを判別する。
Ｃ４Ｆ：給紙モータ駆動手段
給紙源駆動手段の一例としての給紙モータ駆動手段Ｃ４Ｆは、給紙駆動回路Ｄ３を介して、給紙駆動モータＭ２の駆動を制御し、ピックアップロールＲｐやさばきロールＲｓの駆動を制御する。実施例１の給紙モータ駆動手段Ｃ４Ｆは、給紙時期判別手段Ｃ４Ｅで給紙時期になったと判別された場合に、給紙駆動モータＭ２を予め設定された期間駆動して、ピックアップロールＲｐ等で記録シートＳを送り出す。
【００５５】
Ｃ４Ｇ：給紙枚数計数手段
送出枚数計数手段の一例としての給紙枚数計数手段Ｃ４Ｇは、給紙された記録シートＳの枚数である給紙枚数Ｎを計数する。
Ｃ４Ｈ：プレート上昇判別手段
積載上昇判別手段の一例としてのプレート上昇判別手段Ｃ４Ｈは、ボトムプレート１４を上昇させるか否かを判別するための上昇判別枚数Ｎａを記憶する上昇判別枚数記憶手段Ｃ４Ｈ１を有し、ボトムプレート１４を上昇させるか否かを判別する。実施例１のプレート上昇判別手段Ｃ４Ｈは、給紙枚数Ｎが上昇判別枚数Ｎａ以上になったか否かを判別することで、ボトムプレート１４を上昇させるか否かを判別する。すなわち、記録シートＳが給紙されるのに連れて、記録シートＳの束の最上面の高さが下がるのに対応して、ボトムプレート１４を上昇させる。実施例１では、上昇判別枚数Ｎａが、一例として、Ｎａ＝１２［枚］に設定されており、記録シートＳが１２枚給紙される度に、ボトムプレート１４が記録シートＳの１２枚分の厚みに対応する高さ分上昇するように、プレート昇降制御手段Ｃ４Ｂに信号を送信する。なお、上昇判別枚数Ｎａは、１２枚に限定されず、設計や仕様等に応じて、任意の数値に変更可能であり、１枚毎にボトムプレート１４を上昇させる構成とすることも可能である。
【００５６】
Ｃ５：吹付け制御手段
吹付け制御手段Ｃ５は、ブロア駆動回路Ｄ６を介して、ブロア４１を制御して、送風のオン、オフを制御する。実施例１の吹付け制御手段Ｃ５は、後サイドガイド２７が捌き位置に移動した場合に、ブロア４１を作動させて、記録シートＳに気体を吹付ける。なお、実施例１の吹付け制御手段Ｃ５は、後サイドガイド２７が捌き位置に移動してから揃え位置に戻るまでの間の捌き時間ｔ１だけブロア４１を作動させるように設定されているが、後サイドガイド２７の捌き期間ｔ１と一致しない構成とすることも可能である。
【００５７】
（流れ図の説明）
図６は実施例１の媒体送出制御の一例としての給紙制御の流れ図である。
図６の流れ図、いわゆるフローチャートの各処理、いわゆるステップＳＴの処理は、前記コントローラＣのＲＯＭに記憶されたプログラムに従って行われる。また、この処理はプリンタの他の各種処理と並行してマルチタスクで実行される。
図６に示すフローチャートは画像形成装置Ｕの電源オンにより開始される。
【００５８】
図６のＳＴ１において、画像形成動作の一例としてのジョブが開始されたか否かを判別する。イエス（Ｙ）の場合はＳＴ２に進み、ノー（Ｎ）の場合はＳＴ１を繰り返す。
ＳＴ２において、給紙枚数ＮをＮ＝０に初期化、いわゆる、リセットして、ＳＴ３に進む。
ＳＴ３において、フレーム昇降ソレノイドＳＬをオンにして、ピックアップロールＲｐを給紙実行位置に移動させる。そして、ＳＴ４に進む。
ＳＴ４において、プレート昇降モータＭ３を駆動して、ボトムプレート１４の上昇を開始する。そして、ＳＴ５に進む。
ＳＴ５において、光センサＳＮ１が給紙フレームＫｆを検出したか否かを判別する。イエス（Ｙ）の場合はＳＴ６に進み、ノー（Ｎ）の場合はＳＴ５を繰り返す。
ＳＴ６において、プレート昇降モータＭ３の駆動を停止する。そして、ＳＴ７に進む。
【００５９】
ＳＴ７において、次の処理（１）〜（３）を実行し、ＳＴ８に進む。
（１）捌きソレノイド３１をオンにして、後サイドガイド２７を捌き位置に移動させる。
（２）ブロア４１を作動させて、送風を開始する。
（３）捌き時間ｔ１を捌き時間タイマＴＭ１に設定、いわゆるセットして、計時を開始する。
ＳＴ８において、捌き時間タイマＴＭ１がタイムアップしたか否か、すなわち、捌き時間ｔ１が経過したか否かを判別する。イエス（Ｙ）の場合はＳＴ９に進み、ノー（Ｎ）の場合はＳＴ８を繰り返す。
ＳＴ９において、次の処理（１）、（２）を実行し、ＳＴ１０に進む。
（１）捌きソレノイド３１をオフにして、後サイドガイド２７を揃え位置に移動させる。
（２）ブロア４１の作動を停止して、送風を停止する。
【００６０】
ＳＴ１０において、記録シートＳの給紙時期になったか否かを判別する。イエス（Ｙ）の場合はＳＴ１１に進み、ノー（Ｎ）の場合はＳＴ１０を繰り返す。
ＳＴ１１において、給紙駆動モータＭ２を予め設定された期間だけ駆動させて、ピックアップロールＲｐやフィードロールＲｓ１で記録シートＳを送り出す。そして、ＳＴ１２に進む。
ＳＴ１２において、ジョブが終了したか否かを判別する。ノー（Ｎ）の場合はＳＴ１３に進み、イエス（Ｙ）の場合はＳＴ１６に進む。
ＳＴ１３において、給紙枚数Ｎを１加算する。すなわち、Ｎ＝Ｎ＋１とする。そして、ＳＴ１４に進む。
【００６１】
ＳＴ１４において、給紙枚数Ｎが上昇判別枚数Ｎａ以上になったか否かを判別する。イエス（Ｙ）の場合はＳＴ１５に進み、ノー（Ｎ）の場合はＳＴ１０に戻る。
ＳＴ１５において、給紙枚数Ｎを０にリセットする。そして、ＳＴ４に戻る。
ＳＴ１６において、次の処理（１）、（２）を実行し、ＳＴ１に戻る。
（１）フレーム昇降ソレノイドＳＬをオフにして、ピックアップロールＲｐを給紙待機位置に移動させる。
（２）プレート昇降モータＭ３を逆回転させて、ボトムプレート１４を降下位置に移動させる。
【００６２】
（実施例１の作用）
前記構成を備えた本発明の実施例１の複写機Ｕでは、ジョブが開始されると、図６のＳＴ３〜ＳＴ９に示すように。給紙が実行される給紙トレイＴＲ１〜ＴＲ４のボトムプレート１４が上昇し、送出位置に移動する。ボトムプレート１４が送出位置まで移動すると、捌きソレノイド３１がオンとなり、後サイドガイド２７が図４Ａに示す揃え位置から、図４Ｂに示す捌き位置に移動する。これに伴って、後サイドガイド２７の押されて、記録シートＳの束が押されて上方に凸状に撓む。したがって、記録シートＳどうしの密着が緩み、記録シートＳどうしの間に空気の層が形成され、分離され、捌かれる。さらに、実施例１では、記録シートＳが凸状に撓んだ状態で、記録シートＳどうしの間に、ブロア４１から送風がされる。よって、記録シートＳの間に送り込まれた空気で、さらに記録シートＳが分離され、捌かれる。捌かれた記録シートＳは、ピックアップロールＲｐで送り出され、給紙される。したがって、密着した複数の記録シートＳが送り出されること、いわゆる重送が低減される。
【００６３】
また、実施例１の複写機Ｕでは、実施例１では、後サイドガイド２７が、下方の回転軸２７ａを中心として回転しており、ボトムプレート１４に積載された記録シートＳの束の中でも、上部に積載された記録シートＳが大きく撓む力を受ける。したがって、下部に積載された記録シートＳに撓ませる力を作用させても、上部に積載された記録シートＳの重力で撓みにくく、記録シートＳの束を捌く効率は低下するのに対して、実施例１では、上部に積載された記録シートＳを撓ませており、記録シートＳの束が効率的に捌かれる。すなわち、従来よりも少ないエネルギーで、記録シートＳを十分に捌くことが可能になっている。
【００６４】
そして、ピックアップロールＲｐでの送り出しに伴って、上部に積載された記録シートＳの枚数が減ると、ＳＴ１３〜ＳＴ１５およびＳＴ４〜ＳＴ９の処理で、ボトムプレート１４が上昇すると共に、再び、後サイドガイド２７で記録シートＳが捌かれる。すなわち、上部のこれから送り出される記録シートＳに対して後サイドガイド２７およびブロア４１で記録シートＳが捌かれている。したがって、しばらく送り出されず、上部に積載された記録シートＳの重みで捌きにくい下部の記録シートＳを捌くために余分なエネルギーを使用していた従来に比べて、実施例１では、捌きやすい上部に積載された記録シートＳのみを、上昇する度に捌いている。よって、実施例１では、従来の構成に比べて、捌きが不十分になることが低減されており、確実に重送を防止することが可能になっている。
【００６５】
また、実施例１では、後サイドガイド２７で湾曲させた記録シートＳに対して、ブロア４１で、気体を吹付けて捌いている。したがって、ファンのみで記録シートＳを捌くために送風方向を変更するという複雑な制御や機構が必要となる従来の構成や、積載された記録シートＳ全体を捌く従来の構成に対して、実施例１の複写機Ｕでは、ボトムプレート１４の昇降を利用して、これから送り出される上部の数枚に対して、後サイドガイド２７およびブロア４１で捌いており、従来の構成に比べて、小型、簡素な構成で、記録シートＳを捌くことが可能となっている。
また、実施例１の複写機Ｕでは、ブロア４１が吹付けられた場合に、記録シートＳが浮き上がる可能性があるが、押さえ部材４２で押さえられており、記録シートＳが収容空間６内で乱れることが低減され、搬送不良の発生が低減されている。
【実施例２】
【００６６】
図７は実施例２の給紙トレイの説明図であり、実施例１の図３に対応する図である。
図８は図７のＶＩＩＩ−ＶＩＩＩ線断面図である。
次に本発明の実施例２の説明をするが、この実施例２の説明において、前記実施例１の構成要素に対応する構成要素には同一の符号を付して、その詳細な説明は省略する。
この実施例は下記の点で、前記実施例１と相違しているが、他の点では前記実施例１と同様に構成される。
図７、図８において、実施例２の複写機Ｕでは、ボトムプレート１４′は、実施例１のボトムプレート１４と異なり、底壁１とほぼ同様の面積を有する板状に構成されている。そして、ボトムプレート１４′の左右方向中央部には、前後一対の切除部１４ａ′が形成されている。
【００６７】
図７において、実施例２の複写機Ｕでは、実施例１の上昇回転軸１２および上昇レバー１３に替えて、前後方向に延びる左右一対の上昇回転軸１２′が配置されている。図８において、各上昇回転軸１２′は、前部および後部にネジ山５０が形成されており、前端部および後端部が前端壁２および後端壁３に回転可能に支持されている。各上昇回転軸１２′の後端は、後端壁３を貫通して後方に延びており、後端にはカプラ１２ａ′が支持されている。前記カプラ１２ａ′は、給紙トレイＴＲ１〜ＴＲ４が画像形成装置本体Ｕ１に装着された状態で、画像形成装置本体Ｕ１に支持されたカプラ１２ｂ′と噛み合い、プレート昇降モータＭ３からの駆動が伝達可能な状態となる。
【００６８】
各上昇回転軸１２′の前部および後部には、移動部材の一例としてのスライダ５１，５２がネジ山５０に噛み合った状態で貫通して支持されている。また、スライダ５１，５２の下面は、底壁１に接触しており、底壁１により回り止めがされている。
前記スライダ５１，５２には、互いに前後方向内側に延びる一対の上昇レバー１３′の基端部が回転可能に支持されている。各上昇レバー１３′の先端部には、ボトムプレート１４′に回転自由な状態で接触する接触部１３ａ′が支持されている。
したがって、実施例２のボトムプレート１４′は、プレート昇降モータＭ３を正逆回転させると、カプラ１２ａ′，１２ｂ′を介して上昇回転軸１２′が回転し、スライダ５１，５２が互いに接近、離間する方向に移動する。そして、スライダ５１，５２が接近、離間すると、上昇レバー１３′の接触部１３ａ′が上昇、下降し、ボトムプレート１４′が昇降する。
【００６９】
図９は実施例２の給紙トレイの説明図であり、図９Ａは図７のＩＸＡ−ＩＸＡ線断面図、図９Ｂは図９ＡのＩＸＢ−ＩＸＢ線断面図、図９Ｃは図９Ａの揃え位置から捌き位置に移動した状態の説明図である。
図７、図９において、実施例２の底壁１には、実施例１の後開口１ｃに替えて、ボトムプレート１４′の切除部１４ａ′に対応する前後一対の開口１ｄが形成されている。また、実施例２の各給紙トレイＴＲ１〜ＴＲ４は、底壁１の下方に配置された二重底壁１′を有する。図９Ａ、図９Ｂにおいて、前記二重底壁１′には、前後方向中央部に、歯車の一例としてのピニオンギアＧ１が回転可能に支持されている。前記ピニオンギアＧ１の左右両側には、可動部材の一例として、前後方向に延びる左右一対のラック５３が配置されている。
【００７０】
各ラック５３には、被案内部の一例として、前後方向に延びる前後一対のガイド長孔５３ａが形成されており、ガイド長孔５３ａには二重底壁１′に支持された案内部材の一例としてのガイドピン５４が貫通している。したがって、前記ラック５３は、ガイドピン５４およびガイド長孔５３ａにより前後方向に移動可能に支持されている。
後側のラック５３の後端部には、揃え支持部の一例として、左右方向に延びるガイド支持板５６が一体的に形成されている。前記ガイド支持板５６の左右両端部には、回転支持部の一例として、上方に延びる左右一対のブラケット５７が支持されている。前記ブラケット５７には、開口１ｄを貫通して上下方向に延びる後サイドガイド２７′の下部の回転軸２７ａ′が回転可能に支持されている。また、右側のブラケット５７には、停止部材の一例として、回転軸２７ａ′の下方で右方に突出し且つ後サイドガイド２７′に接触可能なストッパ３７′が支持されている。
【００７１】
前記後サイドガイド２７′の下端のソレノイド連結孔２７ｂには、ガイド支持板５６に支持された捌きソレノイド３１が連結され、捌きソレノイド３１の後端には、回路基板３２が支持されている。実施例２の回路基板３２は、接続線の一例としてのケーブル３２ａが後方に延びており、後端壁３に支持された端子部材３２ｂに接続されている。
捌きソレノイド３１の上面には、上方にのびるバネ支持部の一例としてのブラケット５８が支持されており、ブラケット５８と後サイドガイド２７′の回転軸２７ａ′の上側との間には、後サイドガイド２７′を後方に引っ張るコイルバネ３６が支持されている。
前記後サイドガイド２７′の上端部には、上方に行くに連れて、前方、すなわち、記録シートＳの幅方向の記録シートＳ側に傾斜する傾斜部２７ｃ′が形成されている。
【００７２】
前側のラック５３には、後側のラック５３と前後対称に構成された前サイドガイド２６′、回転軸２６ａ′、ソレノイド連結孔２６ｂ′、傾斜部２６ｃ′、捌きソレノイド３１′、回路基板３２′、コイルバネ３６′、ストッパ３７′、前側のガイド支持板５６′、ブラケット５７′、が設けられている。なお、前側の回路基板３２′のケーブル３２ａ′は、端子部材３２ｂに接続されている。
【００７３】
（実施例２の制御部の説明）
図１０は実施例２の画像形成装置の制御部分の説明図であり、実施例１の図５に対応する図である。
図１０において、実施例２では、実施例１の捌きソレノイド駆動回路Ｄ２と異なり、捌きソレノイド駆動回路Ｄ２′は、捌きソレノイド３１，３１′を制御して、前サイドガイド２６′および後サイドガイド２７′を移動させる。
また、実施例２のコントローラＣでは、実施例１のガイド回転制御手段Ｃ４Ｄに替えて、ガイド回転制御手段Ｃ４Ｄ′は、捌きソレノイド駆動回路Ｄ２′を介して、捌きソレノイド３１，３１′のオン、オフを制御して、前後のサイドガイド２６′，２７′が互いに接近する図９Ｃに示す捌き位置と、互いに離れた図９Ａに示す揃え位置との間でサイドガイド２６′，２７′の移動を制御する。
【００７４】
（実施例２のフローチャートの説明）
図１１は実施例２の給紙制御の説明図であり、実施例１の図６に対応する図である。
図１１において、実施例２のフローチャートでは、実施例１のＳＴ４、ＳＴ７、ＳＴ９、ＳＴ１６に替えて、ＳＴ４′、ＳＴ７′、ＳＴ９′、ＳＴ１６′が実行される。
ＳＴ４′において、プレート昇降モータＭ３を駆動して、ボトムプレート１４′の上昇を開始する。そして、ＳＴ５に進む。
【００７５】
ＳＴ７′において、次の処理（１）〜（３）を実行し、ＳＴ８に進む。
（１）捌きソレノイド３１，３１′をオンにして、前サイドガイド２６′および後サイドガイド２７′を捌き位置に移動させる。
（２）ブロア４１を作動させて、送風を開始する。
（３）捌き時間ｔ１を捌き時間タイマＴＭ１に設定、いわゆるセットして、計時を開始する。
ＳＴ９′において、次の処理（１）、（２）を実行し、ＳＴ１０に進む。
（１）捌きソレノイド３１，３１′をオフにして、前サイドガイド２６′および後サイドガイド２７′を揃え位置に移動させる。
（２）ブロア４１の作動を停止して、送風を停止する。
【００７６】
ＳＴ１６′において、次の処理（１）、（２）を実行し、ＳＴ１に戻る。
（１）フレーム昇降ソレノイドＳＬをオフにして、ピックアップロールＲｐを給紙待機位置に移動させる。
（２）プレート昇降モータＭ３を逆回転させて、ボトムプレート１４′を降下位置に移動させる。
【００７７】
（実施例２の作用）
前記構成を備えた実施例２の複写機Ｕでは、記録シートＳの搬送方向の前端が上方に傾斜する実施例１のボトムプレート１４と異なり、ボトムプレート１４′が水平に対して平行な状態で昇降する。したがって、記録シートＳの束も水平に平行な状態で昇降する。そして、記録シートＳが送出位置に上昇すると、捌きソレノイド３１，３１′がオンになって、前後のサイドガイド２６′，２７′が互いに接近する捌き位置に移動して、記録シートＳが撓んで、捌かれる。また、実施例２のサイドガイド２６′，２７′は、上端部に傾斜部２６ｃ′，２７ｃ′が形成されており、捌き位置でサイドガイド２６′，２７′の下側よりも上側の方が間隔が狭くなる。したがって、積載された記録シートＳの上側の記録シートＳほど撓みが大きくなり、これから送り出される記録シートＳが捌かれやすくなっている。
【００７８】
また、実施例２では、ボトムプレート１４′が水平に昇降するとともに、記録シートＳの両側からサイドガイド２６′，２７′で挟まれており、実施例１のようにボトムプレート１４が傾斜し且つ後サイドガイド２７で片側から押される場合に比べて、記録シートＳの姿勢の乱れが低減される。
【実施例３】
【００７９】
次に本発明の実施例３の説明をするが、この実施例３の説明において、前記実施例１、２の構成要素に対応する構成要素には同一の符号を付して、その詳細な説明は省略する。
この実施例は下記の点で、前記実施例１、２と相違しているが、他の点では前記実施例１、２と同様に構成される。
【００８０】
（実施例３の制御部の説明）
図１２は実施例３の画像形成装置の制御部分の説明図であり、実施例１の図５に対応する図である。
図１２において、実施例３のコントローラＣでは、実施例２のプレート昇降制御手段Ｃ４Ｂに替えて、プレート昇降制御手段Ｃ４Ｂ′を有する。
Ｃ４Ｂ′：プレート昇降制御手段
実施例２のプレート昇降制御手段Ｃ４Ｂ′は、捌き降下量記憶手段Ｃ４Ｂ１と、捌き昇降制御手段Ｃ４Ｂ２とを有し、プレート昇降モータＭ３の正逆回転を制御して、ボトムプレート１４′の昇降を制御する。
【００８１】
Ｃ４Ｂ１：捌き降下量記憶手段
捌き降下量記憶手段Ｃ４Ｂ１は、サイドガイド２６′，２７′が揃え位置に移動した場合に、ボトムプレート１４′を降下させる量である予め設定された降下量を記憶する。実施例３では、降下量の一例として、記録シートＳの５枚分の厚みに対応する降下量に設定されている。
Ｃ４Ｂ２：捌き昇降制御手段
捌き昇降制御手段Ｃ４Ｂ２は、プレート昇降モータＭ３の正逆回転を制御して、ガイド回転制御手段Ｃ４Ｄ′によりサイドガイド２６′，２７′が捌き位置に移動した場合に、捌き降下量記憶手段Ｃ４Ｂ１に記憶された降下量分だけ、ボトムプレート１４′を下降させる。また、実施例３の捌き昇降制御手段Ｃ４Ｂ２は、サイドガイド２６′，２７′が揃え位置に移動した場合に、降下量分だけボトムプレート１４′を上昇させる。
【００８２】
（実施例３のフローチャートの説明）
図１３は実施例３の給紙制御の説明図であり、実施例２の図１１に対応する図である。
図１３において、実施例３のフローチャートでは、実施例２のＳＴ７′とＳＴ８との間に、ＳＴ２１が実行されると共に、ＳＴ９′に替えて、ＳＴ９″が実行される。
ＳＴ２１において、プレート昇降モータＭ３を逆回転させて、降下量分だけボトムプレート１４′を下降させ、ＳＴ８に進む。
ＳＴ９″において、次の処理（１）〜（３）を実行し、ＳＴ１０に進む。
（１）捌きソレノイド３１，３１′をオフにして、前サイドガイド２６′および後サイドガイド２７′を揃え位置に移動させる。
（２）ブロア４１の作動を停止して、送風を停止する。
（３）プレート昇降モータＭ３を正回転させて、降下量分だけボトムプレート１４′を上昇させる。
【００８３】
（実施例３の作用）
図１４は、実施例３の作用説明図であり、図１４Ａはサイドガイドが揃え位置に移動した実施例２の図９Ａに対応する説明図、図１４Ｂはサイドガイドが捌き位置に移動した実施例２の図９Ｃに対応する説明図、図１４Ｃは図１４Ｂに示す状態からボトムプレートが降下量だけ下降した状態の説明図である。
前記構成を備えた実施例３の複写機Ｕでは、ＳＴ７′の処理でサイドガイド２６′，２７′が図１４Ａに示す揃え位置から図１４Ｂに示す捌き位置に移動すると、サイドガイド２６′，２７′で挟まれた記録シートＳが撓む。
【００８４】
図１４Ｂに示す状態から、ＳＴ２１の処理でボトムプレート１４′が降下すると、図１４Ｃに示す状態となる。したがって、記録シートＳの束を下から支持するボトムプレート１４′が下降し、記録シートＳが重力で下降する力を受ける。したがって、記録シートＳは、下降したボトムプレート１４′に連れて落下して、記録シートＳどうしの密着が緩み、捌かれる。
また、このとき、サイドガイド２６′，２７′の傾斜部２６ｃ′，２７ｃ′で両側から挟まれて上方に凸状に撓んでいる上側の記録シートＳも下方に落下する。このとき、記録シートＳの剛性、いわゆるシートのコシで、撓んだ記録シートＳが、撓んでいない元の状態に戻ろうとするため、記録シートＳが下降する際に、記録シートＳの凸形状の曲率が変化する。したがって、この曲率の変化が、記録シートＳどうしの間で相対的に擦れるような動作となり、記録シートＳどうしの分離がさらに促進され、捌かれやすくなっている。
【実施例４】
【００８５】
図１５は実施例４の給紙トレイの説明図であり、実施例２の図７に対応する図である。
図１６は図１５のＸＶＩ−ＸＶＩ線断面図であり、図１６Ａは押し上げ部材が媒体離間位置に移動した状態の説明図、図１６Ｂは押し上げ部材が押し上げ位置に移動した状態の説明図である。
次に本発明の実施例４の説明をするが、この実施例４の説明において、前記実施例１〜３の構成要素に対応する構成要素には同一の符号を付して、その詳細な説明は省略する。
この実施例は下記の点で、前記実施例１〜３と相違しているが、他の点では前記実施例１〜３と同様に構成される。
図１５、図１６において、実施例４の複写機Ｕでは、ボトムプレート１４′の左側部分には、開口の一例として、左右一対の押し上げ通過口１４ｂが形成されている。
【００８６】
図１５、図１６において、各押し上げ通過口１４ｂの下方には、開口の一例として、押し上げ支持口１ｅが底壁１に形成されている。底壁１の下面には、押し上げ支持体の一例として、各押し上げ支持口１ｅに対応して下方に延びるブラケット６１が支持されている。前記ブラケット６１には、左右方向に延びる押し上げ回転軸６２が回転可能に支持されている。前記押し上げ回転軸６２には、押し上げ部材の一例として、押し上げ通過口１４ｂおよび押し上げ支持口１ｅに対応して配置されたパドル６３が支持されている。
【００８７】
図１５において、押し上げ回転軸６２の左端には、歯車の一例としての第１の傘歯車６２ａが支持されている。第１の傘歯車６２ａには、第２の傘歯車６４がかみ合っており、第２の傘歯車６４には、駆動伝達軸の一例として、後方に延びる伝達シャフト６６が支持されている。前記伝達シャフト６６の後端には、被伝達部材の一例として、カプラ１２ａ′と同様に構成されたカプラ６６ａが支持されている。カプラ６６ａには、画像形成装置本体Ｕ１に支持されたカプラ６６ｂと噛み合い、カプラ６６ｂに駆動を伝達する押し上げ駆動源の一例としての押し上げモータＭ４からの駆動が伝達される。
【００８８】
したがって、押し上げモータＭ４が正回転すると、パドル６３は、図１６Ａに示すように記録シートＳから離間した媒体離間位置から、図１６Ｂに示すように記録シートＳの下面を押し上げる押し上げ位置に移動する。また、押し上げモータＭ４が逆回転すると、パドル６３は、図１６Ｂに示す押し上げ位置から、図１６Ａに示す媒体離間位置に移動する。
【００８９】
（実施例４の制御部の説明）
図１７は実施例４の画像形成装置の制御部分の説明図であり、実施例３の図１２に対応する図である。
図１７において、実施例４では、コントローラＣには押し上げ駆動回路Ｄ７が接続されており、押し上げ駆動回路Ｄ７は、押し上げモータＭ４を正逆回転させて、パドル６３を媒体離間位置と押し上げ位置との間で移動させる。
また、実施例４のコントローラＣでは、実施例３の各手段に加えて、押し上げ制御手段Ｃ４Ｊを有する。
Ｃ４Ｊ：押し上げ制御手段
押し上げ制御手段Ｃ４Ｊは、押し上げ駆動回路Ｄ７を介して、押し上げモータＭ４の正逆回転を制御し、パドル６３の媒体離間位置と押し上げ位置との間での移動を制御する。実施例４の押し上げ制御手段Ｃ４Ｊは、ガイド回転制御手段Ｃ４Ｄ′でサイドガイド２６′，２７′が捌き位置に移動した場合に、パドル６３を押し上げ位置に移動させる。
【００９０】
（実施例４のフローチャートの説明）
図１８は実施例４の給紙制御の説明図であり、実施例３の図１３に対応する図である。
図１８において、実施例４のフローチャートでは、実施例３のＳＴ２１およびＳＴ９″に替えて、ＳＴ３１およびＳＴ３２が実行される。
ＳＴ３１において、次の処理（１）、（２）が実行され、ＳＴ８に進む。
（１）プレート昇降モータＭ３を逆回転させて、降下量分だけボトムプレート１４′を下降させる。
（２）押し上げモータＭ４を正回転させて、パドル６３を押し上げ位置に移動させる。
【００９１】
ＳＴ３２において、次の処理（１）〜（４）を実行し、ＳＴ１０に進む。
（１）捌きソレノイド３１，３１′をオフにして、前サイドガイド２６′および後サイドガイド２７′を揃え位置に移動させる。
（２）ブロア４１の作動を停止して、送風を停止する。
（３）プレート昇降モータＭ３を正回転させて、降下量分だけボトムプレート１４′を上昇させる。
（４）押し上げモータＭ４を逆回転させて、パドル６３を媒体離間位置に移動させる。
【００９２】
（実施例４の作用）
前記構成を備えた実施例４の複写機Ｕでは、サイドガイド２６′，２７′で記録シートＳが捌かれる際に、ボトムプレート１４′が下降するとともに、パドル６３が押し上げ位置に移動する。押し上げ位置に移動したパドル６３は、図１６ｂに示すように、ボトムプレート１４′の押し上げ通過口１４ｂを貫通して上方に突出した状態となり、記録シートＳの束の最下面の前後方向の中央部に接触して、記録シートＳの前後方向中央部が上方に押し上げられる。したがって、実施例４では、サイドガイド２６′，２７′での挟み込みで記録シートＳを撓ませる構成に比べて、パドル６３の押し上げでも記録シートＳが撓んでおり、記録シートＳをより確実に撓ませて、捌き性能を高めつつ、サイドガイド２６′，２７′が記録シートＳを撓ませるのに必要なエネルギーを低減することが可能になっている。
【００９３】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ011）を下記に例示する。
（Ｈ01）前記実施例において、画像形成装置Ｕは、いわゆる、複写機により構成したが、これに限定されず、例えば、プリンタ、ＦＡＸ、あるいはこれらの複数または全ての機能を有する複合機等により構成することも可能である。
（Ｈ02）前記実施例において、前記複写機Ｕは、単色の画像形成装置を例示したが、単色の画像形成装置に限定されず、複数の色の現像剤が使用される多色の画像形成装置にも適用可能である。
【００９４】
（Ｈ03）前記実施例において、サイドガイド２７，２６′，２７′を回転させる構成として、ソレノイド３１とコイルバネ３６とを使用したが、この構成に限定されず、モータと歯車の構成等、任意の回転機構とすることが可能である。
（Ｈ04）前記実施例において、実施例２〜４のサイドガイド２６′，２７′に設けた傾斜部２７ｃ′を実施例１の後サイドガイド２７に設けることも可能であるし、逆に、実施例２〜４において、傾斜部２７ｃ′を省略することも可能である。
【００９５】
（Ｈ05）前記実施例において、サイドガイド２７，２６′，２７′は、捌き位置に移動させた後、揃え位置に戻す動作を１度だけ行ったが、この構成に限定されず、複数回捌き位置と揃え位置との間を移動させる動作を実行することも可能である。
（Ｈ06）前記実施例において、サイドガイド２７，２６′，２７′による捌き位置と揃え位置との間を移動する動作を、画像形成動作の度に毎回行う構成を例示したが、この構成に限定されず、たとえば、記録シートＳの種類、すなわち、密着性の高い光沢紙やＯＨＰシート等の場合にのみ捌く動作を実行する構成としたり、たとえば、温度や湿度が密着性が高まりやすい低湿環境の場合にのみ捌く動作を実行するように構成する構成とすることも可能である。また、例えば、低湿環境では、捌き動作を行い、記録シートＳが密着性の高い種類の場合に、ブロア４１の吹きつけやボトムプレート１４′の下降、パドル６３の回転等を付加するというように、あらかじめ設定された条件に応じて、実行する動作構成を採用することも可能である。この他にも、例えば、記録シートＳの送出に失敗した場合、いわゆるミスフィードが発生した場合にのみ、捌く動作を実行する構成とすることも可能である。
【００９６】
（Ｈ07）前記実施例において、ブロア４１の配置位置や数は、設計や仕様等に応じて任意に変更可能である。またブロア４１を省略することも可能である。
（Ｈ08）前記実施例において、押さえ部材４２は設けることが望ましいが、省略することも可能である。
（Ｈ09）前記実施例において、押し上げ部材の一例としてのパドル６３が回転する構成を例示したが、この構成に限定されず、ボトムプレート１４′のように上下方向に昇降する任意の構成を採用可能である。
【００９７】
（Ｈ010）前記実施例において、例示した材料名や数値等は、実施例に例示したものに限定されず、設計や仕様等に応じて、任意に変更可能である。
（Ｈ011）前記実施例において、ボトムプレート１４，１４′を昇降させる構成は、実施例に例示した構成に限定されず、任意の構成を採用可能である。たとえば、ボトムプレート１４′を吊り下げ部材の一例としてのワイヤで吊り下げた状態として、ワイヤを巻き取ったり送り出すことでボトムプレート１４′を昇降する構成等、任意の構成を採用可能である。
【符号の説明】
【００９８】
６…収容部本体、
１４，１４′…媒体積載部材、
１４ｂ…開口、
２６ｃ′，２７ｃ′…傾斜部、
２７，２６′，２７′…揃え部材、
２７ａ，２６ａ′，２７ａ′…回転軸、
３１，３１′…揃え回転部材、
４１…気体吹付け装置、
６３…押し上げ部材、
Ｃ４Ｂ，Ｃ４Ｂ′…昇降制御手段
Ｃ４Ｄ，Ｃ４Ｄ′…揃え回転制御手段、
Ｃ４Ｊ…押し上げ制御手段、
Ｃ５…吹付け制御手段、
Ｓ…媒体、
Ｕ…画像形成装置。
【図１】
2010247912.tif 000003
【図２】
2010247912.tif 000004
【図３】
2010247912.tif 000005
【図４】
2010247912.tif 000006
【図５】
2010247912.tif 000007
【図６】
2010247912.tif 000008
【図７】
2010247912.tif 000009
【図８】
2010247912.tif 000010
【図９】
2010247912.tif 000011
【図１０】
2010247912.tif 000012
【図１１】
2010247912.tif 000013
【図１２】
2010247912.tif 000014
【図１３】
2010247912.tif 000015
【図１４】
2010247912.tif 000016
【図１５】
2010247912.tif 000017
【図１６】
2010247912.tif 000018
【図１７】
2010247912.tif 000019
【図１８】
2010247912.tif 000020